(57)【要約】【課題】本発明の目的は、改札処理される券から情報を読取り、前記券の情報に基いて情報記録媒体に利用者が必要な情報を書き込み、前記券と共に情報記録媒体を放出して利用者に受取らせることを可能とした自動改札装置を提供することにある。【解決手段】利用者が券を投入する投入口と、投入された券から情報を読取り改札処理をするデータ処理部と、改札処理された券を放出する第一の放出口と、投入口から放出口までを結ぶ第一の媒体搬送路と、を備えた自動改札装置において、投入された券に記録された情報を送信したり、前記情報に基いて情報を受信する情報通信手段と、前記情報を記録する情報記録媒体と、前記情報記録媒体を放出する媒体放出庫と、前記情報を情報記録媒体に出力するデータ出力手段と、情報記録媒体を放出する第二の放出口と、前記媒体放出庫と第二の放出口とを結ぶ第二の媒体搬送路とを備える。【選択図】  図２
2005055966.tif 000002
【特許請求の範囲】
【請求項１】
利用者が券を投入する投入口と、投入された券から情報を読取り改札処理を行うデータ処理部と、前記改札処理された券を放出する第一の放出口と、前記投入口から前記第一の放出口までを結ぶ第一の媒体搬送路とを備えた自動改札装置において、
前記投入口に投入された前記券に記録された情報を送信若しくは前記情報に基いて情報を受信する情報通信手段と、前記情報を記録する情報記録媒体と、この情報記録媒体を一枚ずつ繰り出す媒体放出庫と、前記情報を前記情報記録媒体に出力するデータ出力手段と、前記情報記録媒体を放出する第二の放出口と、前記媒体放出庫と前記第二の放出口とを結ぶ第二の媒体搬送路と、前記第二の放出口に放出した情報記録媒体を回収する媒体回収庫と、この媒体回収庫と前記第二の放出口とを結ぶ第三の媒体搬送路とを備えたことを特徴とする自動改札装置。
【請求項２】
請求項１に記載の自動改札装置において、
放出された前記情報記録媒体を回収する媒体搬送路と、回収した前記情報記録媒体を収納する媒体回収庫とを備え、所定の時間が経過しても前記情報記録媒体が放出口に放置された時に、自動的に前記情報記録媒体を回収して前記媒体回収庫に収納することを特徴とする自動改札装置。
【請求項３】
請求項１に記載の自動改札装置において、
前記情報記録媒体を収納する収納手段と、前記情報記録媒体を放出する放出手段とを備えた媒体収納放出庫と、前記情報記録媒体を放出する少なくとも２つ以上の媒体放出庫とを備え、この媒体放出庫は移動可能に支持されてそれぞれ前記媒体放出庫に収納されている前記情報記録媒体を選択して繰り出し、前記媒体収納放出庫へ収納することを特徴とする自動改札装置。
【請求項４】
利用者が券を投入する投入口と、この投入口に投入された券から情報を読取り改札処理をするデータ処理部と、前記改札処理された券を放出する第一の放出口と、前記投入口から前記第一の放出口までを結ぶ第一の媒体搬送路とを備えた自動改札装置において、
ロール形状の情報記録媒体と、この情報記録媒体に情報を出力するデータ出力部と、前記情報記録媒体を所望のサイズに裁断する媒体切断部と、この媒体切断部によって切断された前記情報記録媒体を収納若しくは放出する媒体収納放出庫と、前記情報記録媒体を放出する放出口と、前記情報記録媒体を搬送する搬送路と、前記情報記録媒体を回収する媒体回収庫と、前記情報記録媒体を放出する放出口と媒体回収庫とを結ぶ第二の搬送路とを備えたことを特徴とする自動改札装置。
【請求項５】
改札機能と情報出力機能を有する自動改札装置と、この自動改札装置に出力する情報を管理するサーバと、前記情報を提供する業者が情報を保持する記憶装置と、前記自動改札装置とサーバと記憶装置とを連結する情報ネットワークとを備え、前記自動改札装置は改札時に読み込まれた前記情報を前記サーバへ送信し、この情報を受取った前記サーバは利用者に必要な情報を検索して自動改札装置へ送信し、前記検索により情報を受信した前記自動改札装置は情報記録媒体に情報を出力するとともに、改札媒体といっしょに前記情報記録媒体を放出して利用者に受取らせることを特徴とする情報提供システム。
【請求項６】
請求項５に記載の情報提供システムにおいて、
前記自動改札装置は、改札時に読み込まれた情報に基いて利用者に前記情報記録媒体を受取らせる際に、前記情報記録媒体を出力したことを利用者に告知する手段を備えていることを特徴とする情報提供システム。
【発明の詳細な説明】
【０００１】
【発明の属する技術分野】
本発明は、自動改札装置およびそれを用いた情報提供システムに関するものである。
【０００２】
【従来の技術】
一般に、鉄道あるいは航空機等の乗車利用時に使用する切符、回数券及び定期券等の乗車券や、娯楽施設あるいは公共施設への入場時に使用する入場券あるいは整理券等を改札処理する自動改札装置は、図１に示すような構成である。
【０００３】
すなわち、投入口１と、放出口８と、投入口１と放出口８を接続する媒体搬送手段１０と、利用者が投入口１に投入した券を所定の位置に整列させる整列部２と、券から情報を読み取ったり、他の情報を書き込んだりする第一のデータ処理部３と、券にパンチ穴をあける第二のデータ処理部４と、券に印刷処理をする第三のデータ処理部５と、第一のデータ処理部３において券に書き込まれた情報が正常に書き込まれたかをチェックする第四のデータ処理部６と、第一のデータ処理部３あるいは第四のデータ処理部６で読み込まれた情報に基いて連動する開閉扉（図示せず）と、券を放出口８に放出する放出部７と、利用者に返却しない券を収納する媒体収納庫９と、などから構成されている。
【０００４】
利用者は券を投入口１に投入し、データ処理された券を放出口８にて受け取るようになっているが、利用者が活用可能な情報はデータ処理された券にほとんど示されない。利用者が活用可能な情報を券上に示す手段として、自動改札機は、利用者の投入した券の磁気情報を読み取る読み取り手段、ホストコンピュータに対し磁気情報を送信し、列車の運行情報を受信する通信手段、列車の運行情報を印字する印字手段、さらにこれらの制御を司るマイクロプロセッサ及びプログラムや、列車の運行情報を記憶する記憶部を含む制御部を備えており、読み取った磁気情報を元に、列車の運行情報をホストコンピュータから受信し、該当する列車の運行情報を券に印字するものである（例えば、特許文献１参照）。
【０００５】
【特許文献１】
特開平８−１６８３９号公報。
【０００６】
【発明が解決しようとする課題】
上記従来技術によると、利用者が所有する券に直接情報を書き込むことになるが、券には印刷済みのエリアも有るため書き込み可能な情報量が制限される。また利用者の券取扱いによっては印刷された情報が読み取りにくくなったり、既印刷情報上に上書きされることによりデータを喪失する恐れがある。
【０００７】
本発明の目的は、改札処理される券から情報を読取り、前記券の情報に基いて情報記録媒体に利用者が必要な情報を書き込み、前記券と共に情報記録媒体を放出して利用者に受取らせることを可能とした自動改札装置を提供することにある。
【０００８】
【課題を解決するための手段】
上記目的は、利用者が券を投入する投入口と、投入された券から情報を読取り改札処理を行うデータ処理部と、前記改札処理された券を放出する第一の放出口と、前記投入口から前記第一の放出口までを結ぶ第一の媒体搬送路とを備えた自動改札装置において、前記投入口に投入された前記券に記録された情報を送信若しくは前記情報に基いて情報を受信する情報通信手段と、前記情報を記録する情報記録媒体と、この情報記録媒体を一枚ずつ繰り出す媒体放出庫と、前記情報を前記情報記録媒体に出力するデータ出力手段と、前記情報記録媒体を放出する第二の放出口と、前記媒体放出庫と前記第二の放出口とを結ぶ第二の媒体搬送路と、前記第二の放出口に放出した情報記録媒体を回収する媒体回収庫と、この媒体回収庫と前記第二の放出口とを結ぶ第三の媒体搬送路とを備えたことにより達成される。
【０００９】
また、上記目的は、放出された前記情報記録媒体を回収する媒体搬送路と、回収した前記情報記録媒体を収納する媒体回収庫とを備え、所定の時間が経過しても前記情報記録媒体が放出口に放置された時に、自動的に前記情報記録媒体を回収して前記媒体回収庫に収納することにより達成される。
【００１０】
また、上記目的は、前記情報記録媒体を収納する収納手段と、前記情報記録媒体を放出する放出手段とを備えた媒体収納放出庫と、前記情報記録媒体を放出する少なくとも２つ以上の媒体放出庫とを備え、この媒体放出庫は移動可能に支持されてそれぞれ前記媒体放出庫に収納されている前記情報記録媒体を選択して繰り出し、前記媒体収納放出庫へ収納することにより達成される。
【００１１】
また、上記目的は、利用者が券を投入する投入口と、この投入口に投入された券から情報を読取り改札処理をするデータ処理部と、前記改札処理された券を放出する第一の放出口と、前記投入口から前記第一の放出口までを結ぶ第一の媒体搬送路とを備えた自動改札装置において、ロール形状の情報記録媒体と、この情報記録媒体に情報を出力するデータ出力部と、前記情報記録媒体を所望のサイズに裁断する媒体切断部と、この媒体切断部によって切断された前記情報記録媒体を収納若しくは放出する媒体収納放出庫と、前記情報記録媒体を放出する放出口と、前記情報記録媒体を搬送する搬送路と、前記情報記録媒体を回収する媒体回収庫と、前記情報記録媒体を放出する放出口と媒体回収庫とを結ぶ第二の搬送路とを備えたことにより達成される。
【００１２】
また、上記目的は、改札機能と情報出力機能を有する自動改札装置と、この自動改札装置に出力する情報を管理するサーバと、前記情報を提供する業者が情報を保持する記憶装置と、前記自動改札装置とサーバと記憶装置とを連結する情報ネットワークとを備え、前記自動改札装置は改札時に読み込まれた前記情報を前記サーバへ送信し、この情報を受取った前記サーバは利用者に必要な情報を検索して自動改札装置へ送信し、前記検索により情報を受信した前記自動改札装置は情報記録媒体に情報を出力するとともに、改札媒体といっしょに前記情報記録媒体を放出して利用者に受取らせることにより達成される。
【００１３】
また、上記目的は、前記自動改札装置は、改札時に読み込まれた情報に基いて利用者に前記情報記録媒体を受取らせる際に、前記情報記録媒体を出力したことを利用者に告知する手段を備えていることにより達成される。
【００１４】
【発明の実施の形態】
以下、本発明の一実施例を、図面を参照して説明する。
図２は、本発明の第一の実施例を備えた自動改札装置の構成図である。
図２において、利用者はあらかじめ、例えば券売機（図示せず）などにより乗車券、入場券あるいは定期券（以下、券と称す）などを購入する。券はバーコード等を印刷したものであっても良いし、磁性体を塗布した磁気カードタイプのものであっても良い。また券はＩＣチップが埋め込まれた、非接触で情報の読み書きが可能なＩＣカードタイプのものであっても良い。
【００１５】
改札処理機構の第一の例を示す。利用者によって投入口１１より投入された券は、第一の媒体搬送路２０を通過して利用者が券を受け取ることが可能な第一の放出口１８へと搬送される。この第一の媒体搬送路２０には、券の搬送姿勢を所望の姿勢にする媒体整位部１２と、券に記録された情報を読み取ったり、新たに情報を書き込んだりする第一の媒体データ処理部１３と、券にパンチ穴を穿つ第二のデータ処理部１４と、券に対して文字情報などの印刷を行う印刷機能を備える第三のデータ処理部１５と、第一のデータ処理部において書き込まれた情報の異常の有無を確認する第四のデータ処理部１６と、券を第一の放出部１８へ放出する媒体放出部１７と、などから構成されている。
【００１６】
改札処理機構の第二の例の以下に示す。ＩＣカードタイプの券の場合、非接触で券に蓄えられた情報を読み取ったり、新たに情報を券に書き込んだりする第五のデータ処理部２０１と、から構成されている。
【００１７】
さらに第一のデータ処理部１３、第４のデータ処理部１６あるいは第五のデータ処理部２０１によって処理されたデータに基いて利用者に各種情報、例えば、投入した媒体の異常の有無、媒体内に記録されている情報など、を文字情報や音声情報にて知らせる情報伝達部２０２と、第一のデータ処理部１３と第五のデータ処理部２０１によって読み込まれたデータに基いて、情報記録媒体２７、２８を放出する媒体放出庫２５、２６と、情報記録媒体２７、２８を搬送する情報記録媒体搬送路２４と、第一のデータ処理部１３と第五のデータ処理部２０１において券から読み込んだデータに基いた可変情報を出力するデータ出力部２９と、情報記録媒体２７、２８を放出する第二の放出口２１と、放出された情報記録媒体２７、２８が取り忘れられた場合に情報記録媒体２７、２８を回収する回収庫２３と、回収する情報記録媒体２７、２８を搬送する媒体回収搬送路２２と、から構成されている。
【００１８】
自動改札装置１０１の動作を以下に説明する。利用者が投入口１１から入退場の可否に関する情報や利用者固有の情報を有する券を投入すると、第一のデータ処理部１３において券に記録されている情報を読み取る。読み取ったデータは、図示していないデータ制御部において、
（１）入退場の可否を判断する、
（２）追加情報の必要の有無を判断する。追加情報が必要な場合、
（３）追加情報となるデータを外部記憶装置（装置内に内蔵されていても良いし、ネットワーク上に接続されたファイルサーバでもよい）から読み出す、
（４）その読み出した情報をデータ出力部２９へ転送する、
（５）それと同時に券の情報に基いて、媒体放出庫２５あるいは２６から情報記録媒体２７あるいは２８を放出する、
（６）放出された情報記録媒体２７あるいは２８は、第二の搬送路２４によって搬送される、
（７）データ出力部２９において、情報記録媒体２７あるいは２８に前記（３）で読み出したデータを書き込む、
（８）情報が書き込まれた情報記録媒体２７あるいは２８は、第二の放出口２１から放出されて利用者が受取ることが可能となる。
【００１９】
ここで情報記録媒体２７、２８は、例えば、紙であってもよいし、磁性体を塗布した磁気媒体であってもよいし、熱作用により文字の書込みおよび消去可能な媒体であっても良いし、ＩＣチップなど非接触で情報を読み書き可能な媒体であっても良い。
【００２０】
さらにデータ出力部２９での出力手段は、例えば、インクジェット方式のプリンタでも良いし、磁気情報を書き込む磁気読み書き装置であっても良いし、熱作用により表示や消去を行うものでも良いし、非接触で情報を読み書きする非接触式記録装置であっても良い。
【００２１】
ここで情報記録媒体２７、２８を放出するタイミングは、利用者が券を受取るタイミングと一致することが望ましい。また情報記録媒体２７、２８を放出する前に情報伝達部２０２にメッセージを表示して情報があることを利用者に知らせるようになっている。
【００２２】
放出された券と情報記録媒体２７あるいは２８は、利用者が自動改札装置通過のタイミングにあわせて放出されるため簡単で、かつ待つことなく券を受け取ることが可能である。
【００２３】
利用者が放出された情報記録媒体２７あるいは２８を取り忘れた場合、事前に定められた時間になると、情報記録媒体２７あるいは２８は第二の搬送路２４に引き込まれ、媒体回収搬送路２２を通って回収庫２３に収納される。したがって利用者固有の情報が他人に見られることが回避される。
【００２４】
入退場の可否を判断する第一の搬送路２０と、入退場可能の判断した利用者に情報を提供する第二の搬送路２４と、が独立して動作可能であるため、改札機能と情報提供機能を１つの搬送路上で連続して行うよりも高速に処理が可能である。また利用者特有の情報を提供することに対して、取り忘れ等があっても自動的に回収する機構を設けているため、セキュリティの面でも安全な装置である。
【００２５】
このように入退場を監視する改札機構から利用者に関する情報を抽出し、別途設けたデータ出力部へ受け渡し、収納されている情報記録媒体に情報を書き込んで、利用者に渡す機能を持っているので、利用者は改札時にこれから利用する施設の情報を受け取ることができるため、顧客サービスが充実する。
【００２６】
図３は、本発明の第二の実施例を備えた自動改札装置の構成図である。
図３において、自動改札装置１０２では、第一のデータ処理部１３あるいは第五のデータ処理部２０１からの指令により情報記録媒体３４を放出したり、収納したりする媒体収納放出庫３０と、情報記録媒体３５、３６、３７を収納して媒体収納放出庫３０の収納枚数に応じて情報記録媒体３５、３６，３７を放出する少なくとひとつ以上の媒体放出庫３１、３２、３３と、データを出力する出力部２９と、などから構成されている。
【００２７】
媒体収納放出庫３０に収納される情報記録媒体３４は、自動改札装置１０２を管理する係員が収納しても良いし、自動改札装置内で自動的に収納しても良い。
【００２８】
また複数の媒体放出庫３１、３２、３３は、図示していない移動装置に取り付けられており、図示していない制御装置からの指令により移動可能なように構成されている。
【００２９】
例えば、図３に示すように媒体放出庫が３台ある場合、媒体収納放出庫３０の情報記録媒体収納枚数が少なくなり、媒体放出庫３１の情報記録媒体収納枚数がゼロの場合、媒体放出庫３１が矢印Ａ１のように移動し、媒体放出庫３２が矢印Ａ２のように移動する。さらに媒体収納庫３３が矢印Ａ３のように移動し、媒体収納庫３１が矢印Ａ４のように移動する。このような動作により収納した情報記録媒体がなくなっても自動的に補充可能なようになっている。また自動改札装置内で自動補充が可能なため、係員による情報記録媒体補充作業の頻度を減少させることができる。
【００３０】
また、各媒体収納庫には、タイプの異なるあるいは記録されている情報が異なる情報記録媒体を収納しておけば、利用者が利用する時間帯によって媒体を交換することが可能である。また情報が書き込まれていない媒体の入れておけば、データ出力部２９においてデータを追加して媒体収納放出庫３０に追加収納することが可能であり、係員が装填することなく同一媒体の補充することも可能である。
【００３１】
図４は、本発明の第三の実施例を備えた自動改札装置の構成図である。
図４において、図３に示す自動改札装置１０３は、使用する情報記録媒体がロール状の連続紙４０となっている。連続紙４０はあらかじめ共通の情報が書き込まれていてもよい。連続紙４０が搬送され、データ出力部２９で情報を書き込まれる。さらに下流側の媒体切断部３９によって所定の大きさに切断され、切断された媒体４１は媒体収納放出庫３８に収納される。情報記録媒体をロール状の連続紙とし、また情報記録媒体に印刷しながら媒体収納放出庫へ収納することにより、リモートで必要な情報を記載した情報記録媒体を媒体収納放出庫へ収納することができるようになる。これにより、異なる情報を記載した情報記録媒体に変更する時、媒体収納庫内の情報記録媒体を取り出し、新規に情報記録媒体を装填する作業が省ける。さらに媒体を追加で装填する場合でも、係員が媒体を装填することなく上記説明のように自動で追加される。
【００３２】
図５は、媒体収納放出庫の構成図である。
図５において、媒体収納放出庫５０は、媒体を収納するため収納ローラ５６と、連続して媒体を収納する際に先行する媒体と次の媒体が干渉しないようにする第一の羽根車５５と、収納した媒体が倒れないように上方で媒体を支える第二の羽根車５４と、媒体の収納枚数に応じて移動する仕切り板５２と、媒体を仕切り板５２とともに挟み込み、移動可能なように支持された第一の押し板５１と、媒体を放出する際に媒体に力を与えるずらしローラ５８と、ずらしローラ５８が取り付けられた第二の押し板５３と、ずらしローラ５８によって下方にずらされた媒体を一枚ずつに分離して放出する分離ローラ５７と、媒体の下端を支える底板５９と、から構成されている。
【００３３】
以下に動作を説明する。図５（ａ）は媒体を収納する場合を示す。収納ローラ５６によって矢印Ｂ１方向から媒体収納放出庫５０に送り込まれた媒体は、第一の羽根車５５によって下端をそろえられるとともに矢印Ｂ２方向に媒体を押しやり、次に搬送されてきた媒体と干渉しないようにする。一方、上方端は、第二の羽根車５４によって矢印Ｂ２方向に媒体を支え、媒体が第一の押し板５１の方向に倒れないようにしている。
【００３４】
次に図５（ｂ）は収納された媒体を放出するための媒体移動動作を説明する。
媒体の収納枚数が所定の量に達すると、第一の押し板５１が矢印Ｂ３の方に移動して仕切り板５２と第一の押し板５１で媒体を挟み込み、挟み込んだ状態で矢印Ｂ４の方に移動して媒体全体を移動させる。媒体の移動は仕切り板５２が第二の押し板５３に接触するまで行う。
【００３５】
次に図５（ｃ）は収納された媒体を放出する動作を説明する。仕切り板５２が第二の押し板５３に接触した後、媒体をずらしローラ５８に適当な押圧力で接触させるために、第一の押し板５１が矢印Ｂ５の方向へ移動する。適当な押圧力が作用した時、ずらしローラ５８が回転して媒体に下方に移動する力を加える。下方に移動した媒体は、分離ローラ５７により挟持され、矢印Ｂ６の方向へ一枚ずつ搬送路に放出される。
【００３６】
次に図５（ｄ）は収納準備の状態を示す。収納されている媒体がすべて放出されると、仕切り板５２は収納動作を行うために矢印Ｂ７の方向に移動して収納準備を行う。
【００３７】
図６は、本発明の自動改札装置の放出部の一例を説明図である。
図６において、図２から図４までに説明した自動改札装置は、券と情報記録媒体とを独立した搬送路で搬送し、それぞれ別の放出口へ放出するものであったが、搬送路を別個にした場合、券と情報記録媒体との放出口の位置が離れてしまう。そこで図６のように第一の搬送路６０に第二の搬送路６１が合流するように搬送路を形成する。
【００３８】
図６（ａ）において、券は矢印Ｃ１の方向から第一の搬送路６０上を搬送され、第一のゲート６７を通過して、合流搬送路６２を通り、第二のゲート６８により矢印Ｃ２の方向へ進み、券搬送路６３を通って放出口６５へ放出される。
【００３９】
一方、図６（ｂ）において、情報記録媒体は矢印Ｃ３の方向から第二の搬送路６１上を搬送され、第一のゲート６７によって合流搬送路６２に合流させられる。その後、第二のゲート６８によって矢印Ｃ４の方向へ搬送され、情報記録媒体搬送路６４を通って放出口６６へ放出される。さらに、情報記録媒体が取り忘れられた場合、取り忘れられた情報記録媒体は矢印Ｃ５の方向へ情報記録媒体搬送路６４を通って搬送され、合流搬送路６２を通過して第一のゲート６７によって第二の搬送路６１へ搬送方向を変更されて矢印Ｃ６の方向へ進み、取り忘れ媒体を回収する回収庫へ送られる。このように取り忘れた情報記録媒体を回収するようになっているので、利用者の個人情報が他人に漏れることはない。
【００４０】
図７は、本発明の自動改札装置の放出部の一例を説明する図である。
図７において、図６では券および情報記録媒体のそれぞれに放出口が設けられていたが、取り忘れが発生する恐れがある。取り忘れを少なくするために券と情報記録媒体を重ねて放出するものである。
【００４１】
図７（ａ）において、情報記録媒体矢印Ｄ１のように搬送路６１から搬送され、第一のゲート６７によって搬送路６０に合流させられ、矢印Ｄ２のように合流搬送路６２を通って放出口６９へ放出される。
【００４２】
情報記録媒体が放出された後、図７（ｂ）に示すように券が第一の搬送路６０上を矢印Ｄ５のように搬送され、矢印Ｄ６のように放出口６９に放出される。ここで放出口６９へ放出される順番は、券が先であってもよい。万が一、放出口６９に情報記録媒体が取り残された場合は、矢印Ｄ３のように搬送路６０上を搬送され、第一のゲート６７によって搬送方向を搬送路６１の方向へ変更させられて回収庫へ搬送される。
【００４３】
図８は、本発明の自動改札装置を用いたサービスの概略図である。
図８において、本発明の自動改札装置を用いたサービスは、利用者７０と、本発明の自動改札装置を管理する設備提供者７４と、情報を管理するサーバ管理者７７と、情報を提供する情報提供者８０と、から構成されている。利用者７０はサーバ管理者７７に個人情報や入手したい情報の種類などのデータを提供してサービスを受ける手続きをする（矢印７９）。また情報提供者８０は、コンテンツをサーバ管理者７７に提供する（矢印７８）。利用者７０は本発明の自動改札装置７３へ利用情報を読み込ませ（矢印７１）、自動改札装置７３から情報を取得する（矢印７２）。自動改札装置７３では、利用者７０から得た情報をサーバ管理者７７へ送り（矢印７５）、サーバ管理者７７は利用者の情報に基いて必要な情報を検索して、検索結果としての情報を自動改札装置へ送る（矢印７６）。これにより自動改札装置内で情報を出力し、情報を利用者７０へ渡す（矢印７２）。また設備提供者は、設備に関する情報を事前に登録した利用者ではない不特定多数の利用者に出力することも可能である。
【００４４】
図９は、本発明の自動改札装置を用いたサービスのシステム図である。
図９において、利用者７０、設備提供者７４、サーバ管理者７７、情報提供者８０に以下のような関係がある。利用者７０はサービスを享受するために、サーバ管理者７７に情報提供サービス利用の手続きを行う（矢印８３）。設備提供者７４は設備等を設置するための初期投資を行う（黒丸８１）。サーバ管理者７７は、サーバ等の設備に初期投資を行う（黒丸８２）。また情報を利用者に閲覧してもらう装置として、設備提供者７４が所有する設備を利用する手続きを行う（矢印８５）。情報提供者８０は、幅広い利用者に情報を閲覧してもらうためにサーバ管理者７７へ情報を提供する（矢印８４）。
【００４５】
サービスの運用については以下に示すとおりである。情報提供サービス利用の手続きが完了した利用者７０は、設備提供者７４の設備利用する（矢印８６）。
利用状況はサーバ管理者へ報告され（矢印８７）、サーバ管理者７７において利用者に必要な情報を検索する（黒丸９０）。情報がある場合には、設備提供者７４が所有する設備から紙、磁気カード、リライタブルカード等に情報が出力され、利用者に情報記録媒体が提供される（矢印９１）。この際、利用者に必要な情報と共に情報記録媒体に利用状況に応じたポイントが付加される。また利用状況はサーバ管理者（７７）から情報提供者８０に報告される（矢印８８）。ポイントを付加された情報記録媒体を持つ利用者７０は、再度設備提供者７４の設備に情報記録媒体を挿入することによりポイントを利用してもよいし（矢印３０１）、情報提供者８０が提供する情報を利用あるいは購入するためにポイントを活用してもよい（矢印３０２）。これにより情報記録媒体は設備提供者あるいは情報提供者によって回収される。利用者７０が情報提供者８０に対して情報利用の手続きを行うと（矢印９３）、情報提供者８０は、例えば、利用者に商品を発送する（矢印９４）。
【００４６】
このように設備提供者７４と、サーバ管理者７７と、情報提供者８０と、が設備を重複して持つ必要が無いため、設備に関するコストと管理コストを低減することができる。また設備提供者７４にとっては、情報の出力装置を保有することになり、利用者の利便性が向上して利用者の増加が見込まれる。サーバ管理者７７にとっては、情報を必要としている利用者に直接渡すことができるため、情報受け渡しの精度が向上する。情報提供者８０にとっては、利用状況を把握することが可能となり、利用者７０の囲い込みが可能となる。利用者７０にとっては、必要な情報が特別な操作をすることなく、日常的に手に入ることになり、便利になる。また情報を利用することによりポイントが付加されるため、設備の再利用や情報提供者８０への接触も推進される。
【００４７】
図１０は、本発明の自動改札装置を用いたサービスのハードウエア構成を示す。利用者７０は、利用者情報が記載された切符９５や定期券９６などの券を別途購入して所持している。また設備提供者７４は、切符等の改札機能に必要な媒体を搬送したり、出力された情報を書き込んだ媒体を搬送する媒体搬送部９８と、切符等の媒体を改札処理する媒体検査部９９と、情報の印刷等をして出力する情報出力部１１０と、情報が出力されていることを文字や光、音によって告知する情報表示部１１１と、外部と情報のやり取りを行う情報通信部１１２と、から成っている。サーバ管理者７７は、情報のやり取りを行う情報通信部１１４と、利用者７０が欲する情報を検索する情報検索部１１５と、情報提供者８０等の情報を記憶して管理する記憶装置と、などから成っている。情報提供者８０は、情報のやり取りを行う情報通信部１１７と、情報を保存する記憶装置１１８と、などから成っている。利用者７０と設備提供者７４は、切符や定期券等の券を設備に投入して、改札処理された媒体を受取ったり、情報媒体を受取ったりする（矢印９７）。設備提供者７４、サーバ管理者７７、情報提供者８０間は、例えば、ネットワークでつながっている（１１３）。
【００４８】
図１１は、本発明を利用したサービスの動作シーケンスを示す図である。
図１１において、利用者７０は設備提供者７４が設置した券売機などを利用して切符等の媒体を購入する。端末を操作すること（１１９）により、設備に操作画面が表示される（１２４）。次にポイント利用の有無を確認（１２０）する。
ポイント利用がない場合、必要なチケットを選択し（１２１）、入金操作（１２２）を行い、入金処理（１３２）がされると、チケットを受取る（１２３）。ポイント利用がある場合、情報記録媒体を挿入し、設備のシステムがポイント利用のシステムに切り替えられて（１２６）、ポイント利用システムとなる（１２７）。また情報記録媒体を挿入するだけで、ポイント利用システムへ切り替えを行っても良い。ポイント利用システムでは、情報記録媒体の真偽を確認して、情報記録媒体の利用ができない場合、その旨表示して情報記録媒体を返却し、ポイント利用無しの動作に戻る。また除法記録媒体にポイントがない場合は、ポイントが無い旨を表示して情報記録媒体を回収する。情報記録媒体が使用可能な場合、ポイント残高を確認（１２９）して、料金およびポイント残高を表示する（１３０）。その後、発行するチケットの処理をして（１３１）、利用者の入金に対して入金処理をし（１３２）、発券および情報記録媒体の返却を行う（１３３）。
【００４９】
図１２は、本発明の自動改札装置を利用したサービスの動作シーケンスを示す図である。
図１２において、利用者７０は、本発明の自動改札装置にチケットおよび情報記録媒体を挿入する（１３４）。挿入したチケットおよび情報記録媒体は、設備提供者７４が提供する自動改札装置内で、改札を行う改札処理（１３６）を実行し、情報記録媒体の有無を確認する（１３７）。情報記録媒体が無い場合、改札処理（１３６）が終了したらチケットを排出し（１４３）、利用者７０がチケットを受取る（１３５）。情報記録媒体がある場合、設備提供者７４が所有する設備内で情報を読取り（１３８）、挿入された情報記録媒体を回収して（１３９）、新しい情報媒体に情報を書込み（１４０）、同時に情報記録媒体に利用者が確認できる形態でポイントを付加して（１４１）、情報記録媒体を排出し（１４２）、チケットも排出する（１４３）。回収された情報記録媒体は、情報を消去して再利用することが可能である。
【００５０】
図１３は、本発明の自動改札装置を利用したサービスが取り扱うデータの一例を示す図である。
図１３において、サーバ管理者が管理する記憶装置（１４４）内に記憶されるデータは以下のようなものである。利用者に関して、利用者固有のデータ（１４６）、利用者があらかじめ登録している利用者が欲している必要データ（１４７）、利用者の利用状況によって付加される利用者のポイントデータ（１４８）、などがある。また情報提供者に関して、情報提供者の固有データ（１４９）、情報提供者が提供したい情報データ（１５０）、設備提供者から報告される利用状況のデータ（１５１）、などがある。また設備提供者に関して、設置した端末の固有データ（１５２）、利用者の利用状況を示す端末稼動状況データ（１５３）、などがある。
【００５１】
これらはインターネットなどの情報伝達手段１４５によって連結されて相互に通信可能となっている。利用者の固有データ１４６は、利用者によって随時書き換え可能となっており、利用者の必要データ１４７は、変更可能である。
【００５２】
図１４は、図１１で説明した設備提供者が所有する券売機などの操作画面の一例を示す図である。
図１４において、操作画面１５４には、各種チケットを選択するメニューブロック１５５と、チケットを選択するチケット選択ブロック１５６と、ポイント媒体に書き込まれているポイントの内容を表示するポイント表示ブロック１５７と、ポイントの利用有無を選択するポイント選択ボタン１５８、１５９と、などから成っている。利用者は必要なチケットを購入するために、メニューブロック１５５を使用し、ポイントを利用する場合には、図示していない挿入口にポイント媒体を挿入する。これにより、利用者は設備利用時にポイントを利用することも可能であるし、ポイントを貯めて情報提供者が提供するサービスに対してポイントを使用してもよい。
【００５３】
図１５は、本発明の自動改札装置の情報表示部の一例を示す図である。
図１５において、情報表示部１６０は、固定のメッセージエリア１６１と、可変のメッセージエリア１６２、１６４と、などから成っている。固定のメッセージエリア１６１には、例えば、「ご利用いただきありがとうございます」等のメッセージを改札時に表示する。また、利用者に対して情報提供がある場合、可変のメッセージエリア１６２に、例えば、「メッセージがございます」等の表示をして、情報があることを利用者に視覚的に告知する。また前記表示と共に音声あるいはビープ音などにより告知してもよい。また前記表示と共に可変のメッセージエリア１６２の周囲に枠１６３を表示させ、かつ点滅させることによって、さらに利用者に注意を促してもよい。可変のメッセージエリア１６２と１６４と、はメッセージ内容が連動していてもよい。例えば、「メッセージがございます」の場合、メッセージを受取ることを促すために、「メッセージをお受け取りください」などと表示する。
【００５４】
【発明の効果】
本発明によれば、利用者の利便性を向上させた自動改札装置を提供できる。
【図面の簡単な説明】
【図１】図１は、従来の自動改札機の構成の一例を説明する図である。
【図２】図２は、本発明の第一の自動改札機の構成の一例を説明する図である。
【図３】図３は、本発明の第二の自動改札機の構成の一例を説明する図である。
【図４】図４は、本発明の第三自動改札機の構成の一例を説明する図である。
【図５】図５は、本発明の媒体収納放出庫の構成および動作を説明する図である。
【図６】図６は、本発明の第一の媒体放出部の構成の一例を説明する図である。
【図７】図７は、本発明の第ニの媒体放出部の構成の一例を説明する図である。
【図８】図８は、本発明を用いたサービス形態の一例を説明する図である。
【図９】図９は、本発明を用いたサービス形態の詳細を説明する図である。
【図１０】図１０は、本発明を用いたサービス形態に係るハードウエア構成を説明する図である。
【図１１】図１１は、本発明を用いたサービス形態に係る操作フローを説明する図である。
【図１２】図１２は、本発明を用いたサービス形態に係る操作フローを説明する図である。
【図１３】図１３は、本発明を用いたサービス形態に係るデータの種類を説明する図である。
【図１４】図１４は、本発明を用いたサービス形態に係る入出力表示画面を説明する図である。
【図１５】図１５は、本発明を用いたサービス形態に係る入出力表示画面を説明する図である。
【符号の説明】
１、１１・・・投入口、２、１２・・・整列部、３、１３・・・第一のデータ処理部、４、１４・・・第二のデータ処理部、５、１５・・・第三のデータ処理部、６、１６・・・第四のデータ処理部、７、１７・・・第五のデータの処理部、８、１８、６５・・・券の放出口、９、１９・・・回収庫、１０、２０、６０・・・第一の搬送路、２１、６６・・・情報記録媒体の放出口、２２・・・媒体回収搬送路、２３・・・媒体回収庫、２４、６１・・・第二の搬送路、２７、２８、３４、３５、３６、３７、４１・・・情報記録媒体、４０・・・ロール紙、２５、２６、３１、３２、３３・・・媒体放出庫、３０、３８、５０・・・媒体収納放出庫、２９・・・データ出力部、３９・・・媒体切断部、５１・・・第一の押し板、５２・・・仕切り板、５３・・・第二の押し板、５４・・・第二の羽根車、５５・・・第一の羽根車、５６・・・収納ローラ、５７・・・分離ローラ、５８・・・ずらしローラ、６２・・・合流搬送路、６３・・・券搬送路、６４・・・情報記録媒体搬送路、６７・・・第一のゲート、６８・・・第二のゲート、７０・・・利用者、７３・・・自動改札装置、７４・・・設備提供者、７７・・・サーバ管理者、８０・・・情報提供者、９５・・・切符、９６・・・定期券、９８・・・媒体搬送路部、９９・・・媒体検査部、１１１・・・情報表示部、１１２、１１４、１１７・・・情報通信部、１１５・・・情報検索部、１１６、１１８・・・記憶装置、１００、１０１、１０２、１０４・・・自動改札装置。
【図１】
2005055966.tif 000003
【図２】
2005055966.tif 000004
【図３】
2005055966.tif 000005
【図４】
2005055966.tif 000006
【図５】
2005055966.tif 000007
【図６】
2005055966.tif 000008
【図７】
2005055966.tif 000009
【図８】
2005055966.tif 000010
【図９】
2005055966.tif 000011
【図１０】
2005055966.tif 000012
【図１１】
2005055966.tif 000013
【図１２】
2005055966.tif 000014
【図１３】
2005055966.tif 000015
【図１４】
2005055966.tif 000016
【図１５】
2005055966.tif 000017